【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】  供給装置（Ｆ）のドラム状糸貯留体（４）上に糸（Ｙ）を予め貯留しておく方法であって、電気的巻付け駆動装置（３）により引き起こされる巻付けエレメント（２）と前記糸貯留体（４）との間の相対回転運動によって前記糸が前記糸貯留体（４）の上に糸コイル（６）の形で巻かれ、前記相対回転運動が休止期間（Ｃ）によって中断される方法において、
前記巻付け駆動装置（３）は、停止するまでの所定期間中あるいは所定の回転角度にわたって徐行回転速度で巻付け方向（５）に駆動され、前記停止は各休止期間（Ｃ）の開始であり、
前記休止期間（Ｃ）の開始時および前記休止期間（Ｃ）中に、前記巻付け駆動装置（３）の内部で、巻付け方向（５）に更に回転させることなく巻付け方向（５）の保持トルク（Ｈ）を発生させるステップを備えることを特徴とする方法。
【請求項２】  前記保持トルク（Ｈ）が、保持電流又は保持電圧によって一定に調節されることを特徴とする請求項１に記載の方法。
【請求項３】  前記保持トルク（Ｈ）が、時間的に見て前記巻付け駆動装置（３）の機械的停止（ｔＸ）と全く同時にスイッチオンされることを特徴とする請求項１に記載の方法。
【請求項４】  糸の品質及び／又は前記巻付け駆動装置（３）と前記巻付け駆動装置（３）に機械的に連結された構成部材との機械的回転抵抗（ＭＷ）に応じて、前記保持トルク（Ｈ）が調節されることを特徴とする前記請求項のいずれか１項に記載の方法。
【請求項５】  前記巻付け駆動装置（３）がパルス幅変調によって制御される非同期モータで構成され、前記保持トルク（Ｈ）の調節のために、変調される周波数を停止寸前の周波数に対して例えば１０倍以上に高くし、同時に電圧を例えば正常の作動電圧の２％〜５％まで低下させることを特徴とする前記請求項のいずれか１項に記載の方法。
【請求項６】  保持電流によって各休止期間（Ｃ）の開始時及び各休止期間中に、巻付け方向へ、前記徐行回転速度まで連続して動作可能な電気モータ式逆転防止装置（Ｄ）が設けられ、且つ、前記巻付け駆動装置（３）が、前記逆転防止装置（Ｄ）を構成し、巻付け方向へ更に回転させることなく、起動した状態において巻付け方向に向けられた保持トルク（Ｈ）を発生させることを特徴とする請求項１から５までのいずれか１項に記載の方法を実施するための供給装置。
【請求項７】  前記巻付け駆動装置（３）がマイクロプロセッサ（ＭＰ）を具えた電気制御装置（ＣＵ）に接続され、前記マイクロプロセッサ（ＭＰ）が、休止期間において、それぞれ前記巻付け駆動装置（３）のための保持電流あるいは保持電圧による逆転防止装置（Ｄ）の作動のためのプログラムルーチンを少なくとも含むことを特徴とする請求項６に記載の供給装置。
【手続補正２】
【補正対象書類名】明細書
【補正対象項目名】０００１
【補正方法】変更
【補正の内容】
【０００１】
本発明は、請求の範囲の第１項の前文に記載の方法並びに請求の範囲の第６項の前文に記載の供給装置に関する。
【手続補正３】
【補正対象書類名】明細書
【補正対象項目名】０００２
【補正方法】変更
【補正の内容】
【０００２】
糸の予備貯留方法並びにこの方法を実施するように構成された供給装置は、EP-A-580 267とEP-A-327 937に開示されている。これらの文献によれば、電気的巻付け駆動装置の停止信号と、巻付けエレメントと糸貯留体との間の相対回転運動に起因する選定位置信号とが出されると、直ぐに、巻付け方向へのゆっくりとした徐行速度回転が始まる。先ず、巻付け駆動装置に電気的に制動がかけられて前記徐行速度まで減速され、所定の回転角度にわたってゆっくりと回転し、所定の回転位置に達して最終的に停止する。この停止状態において、巻付けエレメントと糸貯留体との間の糸には未だに張力が存在している。或いは、前記供給装置の弾性構成部材、例えば弾性充填材や弾性塵埃シール材等のために、巻付け駆動装置に逆転トルクが発生する。停止後に逆転トルクが発生すると、逆転運動が起こって糸貯留体に巻付けられた少なくとも最初の糸コイルに緩みを生じ、糸貯留体上の他の糸コイルの上にずれて移動する。休止期間の直後に巻付け駆動装置は再起動され、この糸コイルは急に引っ張られて切断する。或いは、他の糸コイルの上にずれて重なった糸の緩んだ部分はそのずれた位置にそのまま残され、この供給装置からの糸を消費する繊維機械において布欠陥となる。これは、緯糸の挿入サイクルの度に停止装置によって所定長さの糸を放出する供給装置を具えたエアジェット式織機の場合には、特に重大な問題となる。順次に引き出される糸コイルは計測され、所望の糸長に達する少し前に停止装置が作動する。糸コイルが入り乱れている場合には、引き出しの際に個々の糸コイルを検出することは殆ど不可能であり、これも布欠陥をもたらす。休止期間における巻付け駆動装置の逆転運動による好ましくない影響は、弾丸シャトル式 (projectile) 織機やグリッパ式織機の供給装置等の他のタイプの供給装置にとっても同様であり、特に、時として一つの色に対して長い休止期間を持つ多色製織の場合には、供給装置が固定式、回転式、或いは一定の直径、可変直径のいずれの糸貯留ドラムを具えているかに関係なく望ましいものではない。この逆転運動は、一例によれば巻付けエレメントの出口の円周方向の長さで、例えば、３〜７cmにも達する。
特開平０５−１７９５３８号は供給装置のドラム状貯留体に糸を予備的に貯留する方法を開示している。その方法によれば、巻付け方向に向けられた保持トルクが、休止期間が始まる前に、巻付け駆動装置内で電気的に発生される。前記保持トルクは、巻付け駆動装置が停止状態にあるときおよび休止期間中に維持される。この公知の方法によれば、巻付け駆動装置は、最初の大きな減速後、停止するまで徐々に減速する。たとえ、糸の上流部分での張力が巻付け駆動装置を逆方向へ回転させる傾向があるとしても、停止状態は維持される。巻付け駆動装置が真に停止する前に、前記保持トルクを発生させることで十分であると思われているので、所定の期間中あるいは所定の回転角度にわたっての制御された徐行回転速度はない。前記方法によれば、たとえ、巻付け駆動装置の逆転が起こらないとしても、実際には、巻付け駆動装置の停止中に上流での糸の捻転部の発生及び/または巻付け駆動装置が早期に保持トルクの効果を発揮し始めることにより所定の停止位置を越えた回転が生じることを取り除くことはできない。
【手続補正４】
【補正対象書類名】明細書
【補正対象項目名】０００４
【補正方法】変更
【補正の内容】
【０００４】
この目的は、方法の請求項１の特徴部分又は独立請求項６の特徴部分によって達成することができる。
【手続補正５】
【補正対象書類名】明細書
【補正対象項目名】０００５
【補正方法】変更
【補正の内容】
【０００５】
巻付け駆動装置の徐行回転速度は、所定期間中あるいは保持トルクをスイッチオンする前に意図的に制御された所定の回転角度にわたって減衰位相 (run-out phase)における正確な糸の制御を行い、巻付け駆動装置が最終的に所定の位置で停止に至る。最初は停止していて、そこからスイッチオンされた保持トルクは、休止期間中に糸が弛緩し、或いはたるむことを防ぐ。保持トルクは、全休止期間を通じて維持されるので、全休止期間を通じて適正な糸の位置が変わることはない。休止期間後の巻付け駆動装置の始動時に、緩み糸或いは他の糸コイルの上に重なった糸コイルのそれぞれに起因する糸切れや布欠陥が起こるリスクが解消する。保持トルクは、巻付け駆動装置とこれに連結された構成部材とのシステム依存性の所与の回転抵抗と共に作用するが、巻付け方向の回転を生じることはない。したがって、巻付け駆動装置は巻付け方向に静止的に付勢されていると言うことができる。
【手続補正６】
【補正対象書類名】明細書
【補正対象項目名】０００６
【補正方法】変更
【補正の内容】
【０００６】
この供給装置を使用すれば、糸切れと布欠陥を著しく減らすことができる。供給装置が長い休止期間に応じた動作形態である織機の場合には、特に有利である。この逆転防止装置は、保持電流によって時間的に正確に作動させることができ、高速供給装置であるとしても、そのような要因により、好ましくない逆転を抑制するに十分正確である。この付加的な機能のために、既存の制御と設計上の構成部材が用いられることが可能となる。
【手続補正７】
【補正対象書類名】明細書
【補正対象項目名】０００７
【補正方法】変更
【補正の内容】
【０００７】
請求項２によれば、保持トルクは、単純な方法で制御することを目的として、休止期間が始まったときになってのみ、保持電流又は保持電圧によって一定に調節され、それから休止期間全体を通じて維持される。
【手続補正８】
【補正対象書類名】明細書
【補正対象項目名】０００８
【補正方法】変更
【補正の内容】
【０００８】
請求項３によれば、保持トルクは正確に停止時にスイッチオンされる。停止状態でのみ発生し、両回転方向に効果的である巻付け駆動装置の機械的摩擦依存性起動トルクも使用するために、保持トルクを停止時の例えば数ミリ秒後にスイッチオンするのが理想的である。しかし、それは、供給装置の機械的停止の正確な時刻を検出し保持トルクを調節してこれに合わせるべく制御するのに細心の注意を要する。
【手続補正９】
【補正対象書類名】明細書
【補正対象項目名】０００９
【補正方法】変更
【補正の内容】
【０００９】
請求項４によれば、保持トルクは糸の品質及び／又は機械的回転抵抗に応じて発生させる。このことは、予想される逆転モーメントに対して少なくとも十分に補うために行われるが、更なる巻付け方向への回転を起こさせることはない。
【手続補正１０】
【補正対象書類名】明細書
【補正対象項目名】００１０
【補正方法】変更
【補正の内容】
【００１０】
請求項５によれば、保持トルクを発生させる時に階段機能を回避するために、周波数を何倍かに増加させると同時に電圧を降下させる。それとともに、保持トルクが精密に調節・維持されることが可能になる。
【手続補正１１】
【補正対象書類名】明細書
【補正対象項目名】００１１
【補正方法】変更
【補正の内容】
【００１１】
請求項７によれば、保持トルクは電気制御装置のマイクロプロセッサによってスイッチオンされる。このマイクロプロセッサはすでにこの目的のために制御装置のソフトウエア側に準備されている。通常、供給装置に使用される制御用電子装置と同様にマイクロプロセッサも、供給装置の構造的改変なしに、この付加的目的を本質的に達成することができる。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】